(57)【要約】【課題】  本発明は、水返し片により空気の流れを阻害して三次元網目状フィルター材が雨水に直接晒されることがなく、通気性能と防水性能を両立させ、設計が容易な建物用換気部材を提供することを目的としている。【解決手段】  外気14に連通する換気穴6c1と、該換気穴6c1に対向する水返し片５ｃと、該水返し片５ｃに対して換気穴6c1の反対側に対向する対向片６ｈとを有し、該水返し片５ｃと対向片６ｈとの間を換気穴6c1と連通する換気通路12ｃとし、該換気通路12ｃに通気性を有し風圧力を損失させる三次元網目状フィルター材13を設けたことを特徴とする。【選択図】      図１
2014058799.tif 000002
【特許請求の範囲】
【請求項１】
外気に連通する換気穴と、
前記換気穴に対向する水返し片と、
前記水返し片に対して前記換気穴の反対側に対向する対向片と、
を有し、
前記水返し片と前記対向片との間を前記換気穴と連通する換気通路とし、該換気通路に通気性を有し風圧力を損失させる三次元網目状フィルター材を設けたことを特徴とする建物用換気部材。
【発明の詳細な説明】
【技術分野】
【０００１】
本発明は、建物用換気部材に関するものである。
【背景技術】
【０００２】
従来から防水に配慮して外気と軒天井裏との換気を行う換気部材が特許文献１〜６により提案されている。特許文献１〜５の技術では、換気口に通気性を有する多孔材料を設けて、建物内に雨水の浸入を防止するものである。一方、特許文献６の技術では、換気口に対向して防火覆い部を設けたものが提案されている。
【先行技術文献】
【特許文献】
【０００３】
【特許文献１】特開２００５−１８００９０号公報
【特許文献２】特開平１０−０４６７３９号公報
【特許文献３】特許第２６８３１０９号公報
【特許文献４】特開２００３−０８２７８３号公報
【特許文献５】実開平０６−０２８００６号公報
【特許文献６】特開平１０−０９６３１４号公報
【発明の概要】
【発明が解決しようとする課題】
【０００４】
建物の防水を十分にするため、換気口に前記特許文献に開示されているような防水措置を施すとともに、建物側にも防水措置を施すことが一般である。しかしながら軒の出が短い場合においては、建物側の防水紙の立ち上げが十分に確保することが出来ず、建物側の防水措置が不十分になってしまうことが生じ得る。この場合、換気口側での防水をより厳重にする必要性が生ずる。特許文献１〜５の技術において防水性の期待を主に多孔材料に委ねる場合、防水性の向上を図るため、多孔材料の孔の目を細かくしたり、孔のサイズを小さくすることが考えられるが、他方、通気性能、必要換気面積を犠牲にせざる得ないことが生ずる。
【０００５】
また、多孔材料の材質によっては、雨水に晒されると水分を吸水するものもあり、周囲の金属部品に錆が発生する可能性もあるので、多孔材料の選定に当たっては、防水性、通気性の他、この点をも配慮しなければならないことも生じる。
【０００６】
本発明は前記課題を解決するものであり、その目的とするところは、通気性能と防水性能を両立させ、設計が容易な建物用換気部材を提供するものである。
【課題を解決するための手段】
【０００７】
前記目的を達成するための本発明に係る建物用換気部材の構成は、外気に連通する換気穴と、前記換気穴に対向する水返し片と、前記水返し片に対して前記換気穴の反対側に対向する対向片とを有し、前記水返し片と前記対向片との間を前記換気穴と連通する換気通路とし、該換気通路に通気性を有し風圧力を損失させる三次元網目状フィルター材を設けたことを特徴とする。
【発明の効果】
【０００８】
上記構成によれば、水返し片により空気の流れを阻害し、また通気性を有する三次元網目状フィルター材により気圧差による雨水の浸入を抑えることで、優れた防水性能を確保することが出来る。また、このような構成により、三次元網目状フィルター材の選定に係る制限が緩和されて設計の自由度を向上することが出来、水を含み易い性質ではあるものの、空隙率が高いものを三次元網目状フィルター材として採用することが可能となり、換気面積のロスの低減を図ることが出来る。建物用換気部材内に防水構造を構成できるので、建物用換気部材の小型化を図ることが出来、建物への納まり対応性が良く、取り付け作業が容易である。
【図面の簡単な説明】
【０００９】
【図１】本発明に係る建物用換気部材を用いた換気構造の第１実施形態の構成を示す断面説明図である。
【図２】本発明に係る建物用換気部材の構成を示す分解斜視図である。
【図３】本発明に係る建物用換気部材を用いた換気構造の第２実施形態の構成を示す断面説明図である。
【発明を実施するための形態】
【００１０】
図により本発明に係る換気構造を用いた換気構造の一実施形態を具体的に説明する。
【実施例１】
【００１１】
先ず、図１及び図２を用いて本発明に係る建物用換気部材を用いた換気構造の第１実施形態の構成について説明する。
【００１２】
図１及び図２において、１は図示しない建物の外壁から水平方向に突出した野縁であり、野縁１の端部には鼻隠し下地材２が設けられる。鼻隠し下地材２には鼻隠し材３が固定される。野縁１の下面には軒天井板４が固定される。
【００１３】
軒天井板４の鼻隠し材３側の端部には水平片からなる固定片５ａ，６ａが下地材となる鼻隠し下地材２の下面に固定手段となる釘やネジ７により固定される建物用換気部材Ａが設けられている。建物用換気部材Ａによって、外気14と軒天井裏15（図１に示す軒天井板４の上部空間）との換気を行う。
【００１４】
本実施形態の建物用換気部材Ａは、図１の上側に配置される水切部材５と、図１の下側に配置されるケース部材６とを一体的に固定して構成される。長尺状の建物用換気部材Ａは、例えば、水切部材５とケース部材６とをそれぞれ１枚のスチール、ステンレス、アルミニウム等の鋼板をロールフォーミングや折曲加工により成形したり、或いは、押出成形等により全体が一体的に形成される。そして、金属製の水切部材５とケース部材６とのそれぞれの固定片５ａ，６ａを接着やスポット溶接する等により一体的に固定することが出来る。
【００１５】
水切部材５は、固定片５ａに直角に折曲されて垂下する水返し片５ｃと、該水返し片５ｃの反対側で固定片５ａに直角に折曲されて垂下する垂下片５ｂとを有する。
【００１６】
ケース部材６は、固定片６ａに直角に折曲されて垂下し、複数の換気穴6c1が長手方向に複数並設された換気片６ｃと、該換気片６ｃに接続され、鼻隠し材３側（図１の左側）に突出する凸部６ｄを介して水平方向に配置された底片６ｅと、該底片６ｅから所定の傾斜角度を有して折曲され、内部に不燃性体積膨張材８が収容される収容片６ｆと、該収容片６ｆに接続され、軒天井板４側（図１の右側）に突出して不燃性体積膨張材８の端部が挿入される凸部６ｇと、底片６ｅに収容片６ｆ、凸部６ｇを介して接続され、軒天井板４側（図１の右側）に配置される対向片６ｈと、該対向片６ｈに直角に折曲されて水平に配置され、野縁１の下面と軒天井板４の上面との間に挿入される第二固定片６ｉと、換気片６ｃの反対側で固定片６ａに直角に折曲されて垂下する垂下片６ｂと、該垂下片６ｂに接続され、鼻隠し材３の裏面に当接する水返し片６ｊとを有する。対向片６ｈは、水返し片５ｃに対して換気穴6c1の反対側に対向して配置されている。
【００１７】
換気片６ｃに設けられた外気14に連通する複数の換気穴6c1は、防虫上及びコストの面からもスリット状とすることが好ましい。換気穴6c1に対向する位置に水返し片５ｃが設けられている。水返し片５ｃは、ケース部材６の換気片６ｃと対向片６ｈとの間に配置されて垂下されている。
【００１８】
水切部材５の固定片５ａの幅方向（図１の左右方向）の長さは、ケース部材６の固定片６ａの幅方向（図１の左右方向）の長さよりも、換気片６ｃと水返し片５ｃとの離間間隔分だけ長くなるように設定されている。そして、水切部材５の固定片５ａとケース部材６の固定片６ａとが重なる部位にネジ７を挿通する長穴からなる取付穴９が設けられている。
【００１９】
第二固定片６ｉには取付穴6i1が設けられており、固定片５ａ，６ａを下地材に固定出来ないような換気構造の場合に、第二固定片６ｉの取付穴6i1に固定手段となる釘やネジ７を挿通して下地材に固定することも出来る。
【００２０】
水切部材５の垂下片５ｂの外面には建物用換気部材Ａの長手方向に沿って長尺状の不燃性体積膨張材10が両面テープ等により貼着されており、ケース部材６の収容片６ｆの内面には建物用換気部材Ａの長手方向に沿って長尺状の不燃性体積膨張材８が両面テープ等により貼着されている。
【００２１】
不燃性体積膨張材８，10は、膨張性グラファイト系の防炎、防煙用シール材であって、通過熱風温度が約１８０℃で膨張し始め、十数倍に膨張する性質を有している。不燃性体積膨張材８，10としては、例えば、オーストリア  ケミー・リンツ社製の「インツメックス（商品名）」や種々の不燃性体積膨張材が適用可能である。
【００２２】
水切部材５の垂下片５ｂの外面に建物用換気部材Ａの長手方向に沿って設けた不燃性体積膨張材10は、熱により膨張して建物用換気部材Ａ周りの鼻隠し材３と鼻隠し下地材２との隙間を塞ぐ。また、ケース部材６の収容片６ｆの内面に建物用換気部材Ａの長手方向に沿って設けた不燃性体積膨張材８は、熱により膨張してケース部材６内の換気通路12ａ〜12ｃを塞ぐ。これにより防火性能を向上させることが出来る。
【００２３】
軒天井板４の鼻隠し材３側（図１の左側）の端部をケース部材６の第二固定片６ｉと、対向片６ｈと、凸部６ｇとにより形成される凹部からなる差し込み口に差し込んで取り付けることが出来、軒天井板４の下から見上げた際に軒天井板４の鼻隠し材３側（図１の左側）の小口を凸部６ｇにより見えなくして意匠性を良くすることが出来る。また、軒天井板４とケース部材６との取り合いの隙間を生じ難く出来るので、防水性能、防火性能が向上する。
【００２４】
また、ケース部材６の対向片６ｈの外面には建物用換気部材Ａの長手方向に沿って樹脂発砲体等からなる長尺状の水密材11が両面テープ等により貼着されている。ケース部材６の第二固定片６ｉと、対向片６ｈと、凸部６ｇとにより形成される凹部からなる軒天井板４の差し込み口に樹脂発砲体等からなる水密材11を設ける。これにより、ケース部材６と軒天井板４との当接部の防水性能がより向上する。
【００２５】
水切部材５の水返し片５ｃと、ケース部材６の対向片６ｈとの間には換気穴6c1と連通する換気通路12ｃが形成されている。該換気通路12ｃには通気性を有し風圧力を損失させる長尺状の三次元網目状フィルター材13が設けられている。三次元網目状フィルター材13は換気通路12ｃの幅に対応する幅と長さを有する大きさにすることで該換気通路12ｃ内に嵌入して係止され、該換気通路12ｃの全体に亘って容易に且つ安定して設置できる。
【００２６】
三次元網目状フィルター材13は、通気性を有すると共に水切部材５の水返し片５ｃと、ケース部材６の対向片６ｈとの間に形成される換気通路12ｃを通気する風圧力を損失させる機能を有する。三次元網目状フィルター材13は網目状の多孔質材を採用することが出来る。例えば、通常のウレタンフォームを特殊処理して発泡膜を除去し、通気性、水切れ性に優れたウレタンフォームからなる株式会社ブリヂストン製の「エバーライトＳＦ（商品名）」等のフィルタ材が適用可能である。
【００２７】
図１の矢線で示すように、外気14は換気片６ｃの換気穴6c1を介して該換気片６ｃと水返し片５ｃとの間に形成される換気通路12ａを通気し、該水返し片５ｃの下端部と底片６ｅとの間に形成される換気通路12ｂを通気し、該水返し片５ｃと対向片６ｈとの間の換気通路12ｃの全体に亘って設けられた三次元網目状フィルター材13を通気して外気14と軒天井裏15の空間との換気を行う。
【００２８】
上記構成によれば、暴風雨時は、水返し片５ｃにより空気の流れを阻害し、また三次元網目状フィルター材13によって、外気圧と建物用換気部材Ａの内部（換気穴6c1と三次元網目状フィルター材13までの間の換気通路12a〜12c）の圧力とを、略同一圧力にすることが出来、気圧差による雨水の浸入を等圧効果により押さえることで優れた防水性を確保できる。また、三次元網目状フィルター材13にかかる雨水を減ずることが出来る。また、建物用換気部材Ａ内に防水構造を構成できるので、建物用換気部材Ａの小型化を図ることが出来、建物への納まり対応性が良く、取り付け作業が容易である。
【００２９】
また、三次元網目状フィルター材13にかかる雨水を減ずることが出来る点で、使用できる三次元網目状フィルター材13の制限が緩和されて設計の自由度を向上することが出来る。従って、水を含み易い性質ではあるものの、空隙率が高く、換気面積のロスが少なく、安価で設置も容易な網目状の多孔質材料等を三次元網目状フィルター材13として採用することが可能となる。
【００３０】
また、換気穴6c1が設けられた換気片６ｃの下端部に連続して鼻隠し材３側（図１の左側）に突出する凸部６ｄを設けたことで、軒天井板４の下から見上げた際に該凸部６ｄにより換気穴6c1を見え難くして意匠性を良くすることが出来る。
【００３１】
尚、建物用換気部材Ａのメンテナンス性を考慮した場合、第二固定片６ｉを省略することで、建物用換気部材Ａを容易に着脱することが出来る。
【００３２】
尚、図示しないが、建物用換気部材Ａを建物の外壁側の軒天井板４の端部側に取り付けても良い。この場合、図１に示す建物用換気部材Ａを左右逆に配置して軒天井板４の建物の外壁側の端部に配置される下地材に固定片５ａ，６ａが固定される。
【００３３】
本実施形態の建物用換気部材Ａは図１に示すように、軒天井板４の上部空間の換気を行う換気構造に適用した一例であるが、他の換気構造として、例えば、建物の屋上やバルコニーなどの周囲に壁を立ち上げる形で作られたパラペットの上部の換気構造にも適用可能である。
【００３４】
また、本実施形態では、換気穴6c1が設けられた換気片６ｃと水返し片５ｃとが鉛直方向に配置される場合の一例について説明したが、他の換気構造として換気穴6c1が設けられた換気片６ｃと水返し片５ｃとが水平方向に配置される構成としても良い。
【実施例２】
【００３５】
次に、図３を用いて本発明に係る建物用換気部材を備えた換気構造の第２実施形態の構成について説明する。尚、前記第１実施形態と同様に構成したものは同一の符号を付して説明を省略する。
【００３６】
前記第１実施形態では、図１に示すように、軒天井板４が水平方向に配置された換気構造の一例について説明した。本実施形態では、図３に示すように、軒天井板４が所定の傾斜角度を有して配置された換気構造の一例について説明する。
【００３７】
図３において、21は図示しない建物の外壁から所定の勾配を有して下方に突出した胴縁であり、胴縁21の軒側の上部には鼻隠し下地材２が設けられる。鼻隠し下地材２には鼻隠し材３が固定される。胴縁21の下面には軒天井板４が固定される。
【００３８】
軒天井板４の鼻隠し材３側の端部には図２に示して前述した建物用換気部材Ａが配置されている。図１に示した第１実施形態では、水平方向に配置された軒天井板４に対応して建物用換気部材Ａも水平方向に配置されるが、本実施形態では、図３に示すように、勾配を有して配置された軒天井板４に対応して建物用換気部材Ａも同じ勾配を有して配置されるものである。そして、建物用換気部材Ａの固定片５ａ，６ａが下地材となる胴縁21の下面に固定手段となる釘やネジ７により固定される。建物用換気部材Ａによって、外気14と軒天井裏15（図１に示す軒天井板４の上部空間）との換気を行う。他の構成は、前記第１実施形態と同様に構成され、同様の効果を得ることが出来る。
【産業上の利用可能性】
【００３９】
本発明の活用例として、建物用換気部材に適用出来る。
【符号の説明】
【００４０】
Ａ    …建物用換気部材
１    …野縁
２    …鼻隠し下地材(下地材)
３    …鼻隠し材
４    …軒天井板
５    …水切部材
５ａ，６ａ …固定片
５ｂ  …垂下片
５ｃ  …水返し片
６    …ケース部材
６ｂ  …垂下片
６ｃ  …換気片
6c1   …換気穴
6i1   …取付穴
６ｄ  …凸部
６ｅ  …底片
６ｆ  …収容片
６ｇ  …凸部
６ｈ  …対向片
６ｉ  …第二固定片
６ｊ  …水返し片
７    …ネジ(固定手段)
８    …不燃性体積膨張材
９    …取付穴
10    …不燃性体積膨張材
11    …水密材
12ａ  …換気通路
12ｂ  …換気通路
12ｃ  …換気通路
13    …三次元網目状フィルター材
14    …外気
15    …軒天井裏
21    …胴縁(下地材)
【図１】
2014058799.tif 000003
【図２】
2014058799.tif 000004
【図３】
2014058799.tif 000005